(57)【要約】【課題】カメラがフレームのカメラ装着用孔から外れず、かつ、カメラのフレキシブル基板の一端を回路基板のコネクタ接続しても、振動や落下の衝撃で、コネクタとの接続が外れてしまわないようにする。【解決手段】携帯電話機（カメラ付電子機器）にサブカメラ１１を配置するためのサブカメラ装着用孔１６を有するマグネシウムフレーム１３と、このマグネシウムフレーム１３に嵌め込まれると共に、サブカメラ１１に電気信号を送信するためのサブカメラ用コネクタ１８を搭載した回路基板１４と、サブカメラ用コネクタ１８からの電気信号をサブカメラ１１に接続するフレキシブル基板１９とを設ける。フレキシブル基板１９にクッション部材２０（外れ防止手段）を接着する。クッション部材２０は、マグネシウムフレーム１３からフレキシブル基板１９に跨って貼り付けられ、マグネシウムフレーム１３からフレキシブル基板１９に向かって延びる方向と交わる方向に延びるスリット２２を設ける。【選択図】図５
2007215017.tif 000002
【特許請求の範囲】
【請求項１】
カメラ付電子機器において、
上記カメラを配置するためのカメラ装着用孔を有するフレームと、
上記フレームに嵌め込まれると共に、カメラに電気信号を送信するためのコネクタを搭載した回路基板と、
上記コネクタからの電気信号をカメラに接続するフレキシブル基板とを備え、
上記フレキシブル基板には、外れ防止手段が接着され、
上記外れ防止手段は、上記フレームからフレキシブル基板に跨って設けられ、該フレームからフレキシブル基板に向かって延びる方向と交わる方向に延びるスリットを有している
ことを特徴とするカメラ付電子機器。
【請求項２】
請求項１に記載のカメラ付電子機器において、
上記外れ防止手段は、接着剤付クッションで構成されている
ことを特徴とするカメラ付電子機器。
【請求項３】
請求項２に記載のカメラ付電子機器において、
上記接着剤付クッションは、上記フレキシブル基板に貼り付けられる本体部と、上記フレームに貼り付けられる延長部とを備え、
本体部及び延長部には、両面テープが貼り付けられている
ことを特徴とするカメラ付電子機器。
【請求項４】
請求項３に記載のカメラ付電子機器において、
上記接着剤付クッションの本体部及び延長部は、発泡ウレタンで形成されている
ことを特徴とするカメラ付電子機器。
【請求項５】
請求項４に記載のカメラ付電子機器において、
上記接着剤付クッションの本体部及び延長部は、高密度マイクロセルポリウレタンフォームで形成されている
ことを特徴とするカメラ付電子機器。
【請求項６】
請求項１乃至５のいずれか１つに記載のカメラ付電子機器において、
上記フレームは、マグネシウム合金で形成されている
ことを特徴とするカメラ付電子機器。
【請求項７】
請求項１乃至６のいずれか１つに記載のカメラ付電子機器において、
携帯電話機である
ことを特徴とするカメラ付電子機器。
【発明の詳細な説明】
【技術分野】
【０００１】
本発明は、携帯電話機などのカメラ付電子機器に関するものである。
【背景技術】
【０００２】
従来、電子機器に使われるカメラは、カメラを回路基板に直接ハンダにて取り付け、筐体のカメラ窓と一致するようにしていたので延長線やフレキシブル基板は不要であった。
【０００３】
しかしながら、デザイン的な要望に対応したり、回路基板の届かないところにカメラを配置すると、延長線やフレキシブル基板が必要になる。
【０００４】
カメラ付電子機器ではないが、例えば、特許文献１では、プリント配線基板を液晶パネル固定板には固定せず、接着剤及び液晶駆動用ＴＡＢによって液晶パネルに固定している。このことで、外部から振動や衝撃が加わったとしても該基板の自由移動を抑制している。
【特許文献１】特開平８−１６６５９２号公報
【発明の開示】
【発明が解決しようとする課題】
【０００５】
しかしながら、上記特許文献１のようなものでは、プリント配線基板は、液晶パネルに固定されているだけで液晶パネル固定板などの剛体物には固定されていない。
【０００６】
このように、従来のカメラ付電子機器では、延長線やフレキシブル基板をカメラに接続すると、剛性が低く撓みやすいフレキシブル基板を撓ませたり折り返したりして、カメラがカメラ装着用孔に取り付けられることが多い。そのため、カメラをフレームのカメラ装着用孔に挿入してサブ組付していても、運搬中や筐体への組付作業中において、フレキシブル基板の反発力などにより、カメラがフレーム外に外れてしまうことがある。このため、作業タイムが長くなってしまうという問題があった。特に携帯電話機のサブカメラのように軽量で小型のカメラをフレキシブル基板上に載置した場合、その反発力により、カメラがフレームのカメラ装着用孔から容易に離れることが分かっている。
【０００７】
そこで、カメラがカメラ装着用孔から外れないように接着剤付のテープやクッションでカメラ部分をフレームなどの構造部材に貼り付けてしまうことが考えられる。
【０００８】
しかしながら、外れにくくするために、このテープやクッションの接着強度を高くすると、フレキシブル基板の一端に回路基板のコネクタと接続したときに、振動や落下の衝撃で、フレームと回路基板とが相対的に移動して、フレキシブル基板とコネクタとの接続が外れてしまうという問題がある。
【０００９】
本発明は、かかる点に鑑みてなされたものであり、その目的とするところは、カメラがフレームのカメラ装着用孔から外れず、かつ、カメラのフレキシブル基板の一端を回路基板のコネクタ接続しても、振動や落下の衝撃で、コネクタとの接続が外れてしまわないようにすることにある。
【課題を解決するための手段】
【００１０】
上記の目的を達成するために、第１の発明では、カメラ付電子機器において、
上記カメラを配置するためのカメラ装着用孔を有するフレームと、
上記フレームに嵌め込まれると共に、カメラに電気信号を送信するためのコネクタを搭載した回路基板と、
上記コネクタからの電気信号をカメラに接続するフレキシブル基板とを備え、
上記フレキシブル基板には、外れ防止手段が接着され、
上記外れ防止手段は、上記フレームからフレキシブル基板に跨って設けられ、該フレームからフレキシブル基板に向かって延びる方向と交わる方向に延びるスリットを有している。
【００１１】
上記の構成によると、外れ防止手段がフレームからフレキシブル基板に跨って設けられているので、運搬中や筐体への組付作業中において、カメラがフレームのカメラ装着用孔から外れることはない。一方、カメラ付電子機器の落下時などには、剛性の高いフレームと剛性の低い回路基板との間で撓み具合の差が生じるなどにより、フレームと回路基板とが相対的に移動して、外れ防止手段に引張力が作用してフレキシブル基板がコネクタから外れやすいが、スリットが広がったり捩れたりすることで、引張力が吸収され、フレキシブル基板の先端には伝達されないので、フレキシブル基板がコネクタから外れることはない。
【００１２】
第２の発明では、上記外れ防止手段は、接着剤付クッションで構成されている。
【００１３】
上記の構成によると、外れ防止手段を柔らかいクッションで構成することで、スリット周辺で広がったり、捩れたりしやすいので望ましい。また、保護機能も有するため、カメラが保護される。さらに、接着剤が塗布されているので、フレキシブル基板やフレームに貼り付けやすい。
【００１４】
第３の発明では、上記接着剤付クッションは、上記フレキシブル基板に貼り付けられる本体部と、上記フレームに貼り付けられる延長部とを備え、
本体部及び延長部には、両面テープが貼り付けられている。
【００１５】
上記の構成によると、両面テープで接着剤付クッションをフレキシブル基板及びフレームに接着するので、接着作業が容易である。
【００１６】
第４の発明では、上記接着剤付クッションの本体部及び延長部は、発泡ウレタンで形成されている。
【００１７】
上記の構成によると、衝撃吸収性の高い安価な接着剤付クッションが得られる。
【００１８】
第５の発明では、上記接着剤付クッションの本体部及び延長部は、高密度マイクロセルポリウレタンフォームで形成されている。
【００１９】
上記の構成によると、高密度マイクロセルポリウレタンフォームは、高密度で、非常に細密、かつ均一なセル構造を有し、寸法精度が安定しているので、薄く成形できる。また、圧縮残留歪が小さい、エネルギー吸収性に優れる、シール性に優れる、他素材への影響が少ないなどの優れた特徴を有している。
【００２０】
第６の発明では、上記フレームは、マグネシウム合金で形成されている。
【００２１】
上記の構成によると、マグネシウム合金は、軽量で剛性が高いため、携帯式のカメラ付電子機器でよく使用される。剛性の高いマグネシウム合金フレームと剛性の低い回路基板との間では、落下時の撓み具合の差が激しく、外れ防止手段に引張力が作用してフレキシブル基板がコネクタから外れやすいが、スリットの作用により引張力が吸収されるので、フレキシブル基板がコネクタから外れることはない。
【００２２】
第７の発明では、カメラ付電子機器は、携帯電話機とする。
【００２３】
上記の構成によると、携帯電話機は、携帯性と多機能性が重視されるので、装備されるカメラは、軽量化及び小型化される傾向にある。このため、フレキシブル基板に接続された軽量なカメラがフレキシブル基板の反発力により、カメラ装着用孔から外れやすいが、外れ防止手段により、カメラがフレームのカメラ装着用孔から外れず、かつ、スリットの作用により、カメラのフレキシブル基板の一端を回路基板のコネクタ接続しても、振動や落下の衝撃で、コネクタとの接続が外れることはない。
【発明の効果】
【００２４】
以上説明したように、カメラ付電子機器のフレームからフレキシブル基板に跨って貼り付けられた外れ防止手段に、フレームからフレキシブル基板に向かって延びる方向と交わる方向に延びるスリットを形成したことにより、カメラがフレームのカメラ装着用孔から外れず、かつ、カメラのフレキシブル基板の一端を回路基板のコネクタ接続しても、振動や落下の衝撃で、コネクタとの接続が外れることはない。
【発明を実施するための最良の形態】
【００２５】
以下、本発明の実施形態を図面に基づいて説明する。
【００２６】
図１乃至図３は、本発明の実施形態１のカメラ付電子機器としての携帯電話機１を示し、第１の筐体２と、第２の筐体３とを有し、これらがヒンジ部４によって折り畳自在に結合されている。第１の筐体２の表面側には、略矩形板状の液晶ディスプレイ６が設けられている。この液晶ディスプレイ６の上側に受話部７及びサブカメラ１１が設けられ、裏面側にはメインカメラ１２が設けられている。
【００２７】
上記第２の筐体３の表面側には、送話部８、入力ボタン９、機能ボタン１０などが設けられている。
【００２８】
図１及び図２のように開いた状態で、液晶ディスプレイ６に表示された画面を見ながらメインカメラ１２で撮影が行われる。また、テレビ電話機能使用時や自分自身を撮すときなどにサブカメラ１１が使用されるようになっている。また、図３のように閉じた状態で待機するようになっている。
【００２９】
図４に示すように、第１の筐体２の内部には、フレームとしてのマグネシウムフレーム１３に支持された回路基板１４が設けられている。この回路基板１４にメインカメラ１２やサブカメラ１１が装着されるようになっている。図面では表れていないが、回路基板１４には、液晶ディスプレイ６も装着されている。
【００３０】
すなわち、図５に示すように、液晶ディスプレイ６、メインカメラ１２（いずれも図５では省略）、サブカメラ１１などが装着された回路基板１４がマグネシウムフレーム１３に組み込まれるようになっている。
【００３１】
図６に示すように、マグネシウムフレーム１３は、上記メインカメラ１２を装着するためのメインカメラ装着用孔１５と、上記サブカメラ１１を装着するためのサブカメラ装着用孔１６とを備えている。マグネシウムフレーム１３の中央部には、液晶ディスプレイ６を露出させるためのディスプレイ装着用孔１７が形成されている。
【００３２】
図５に示すように、回路基板１４の上側は、上記メインカメラ１２及びサブカメラ１１を装着するために上側切り欠き１４ａが形成されている。この上側切り欠き１４ａの周縁には、上記サブカメラ１１に電気信号を送信するためのサブカメラ用コネクタ１８が設けられている。図９に拡大して示すように、このサブカメラ用コネクタ１８にフレキシブル基板１９の一端１９ａが挿入され、サブカメラ用コネクタ１８とサブカメラ１１とが電気的に接続されるようになっている。
【００３３】
図４及び図１０に示すように、上記フレキシブル基板１９には、外れ防止手段としてのクッション部材２０（接着剤付クッション）が接着されている。クッション部材２０は、例えば、ポロン（高密度マイクロセルポリウレタンフォーム）で形成され、上記マグネシウムフレーム１３からフレキシブル基板１９に跨って貼り付けられている。なお、フレキシブル基板１９は、折り返された状態でサブカメラ１１がサブカメラ装着用孔１６に挿入されている。但し、フレキシブル基板１９は、必ずしも折り返されていなくてもよい。
【００３４】
図７及び図８に示すように、クッション部材２０は、フレキシブル基板１９に対応する矩形状の本体部２０ａと該本体部２０ａから延びる延長部２０ｂとを有している。本体部２０ａの略全体と延長部２０ｂの先端とに両面テープ２１が貼り付けられている。
【００３５】
上記クッション部材２０の延長部２０ｂの延びる方向と略垂直に例えば２本のスリット２２が形成されている。なお、図７では、スリット２２を明確化するために誇張して隙間を設けているが、単に切り込みを入れただけのものでもよい。
【００３６】
−サブカメラの組付手順−
次に、本実施形態にかかる携帯電話機１におけるサブカメラ１１の組付手順について説明する。
【００３７】
図５に示すように、フレキシブル基板１９の裏面側に両面テープ２１によりクッション部材２０を貼り付けておく。
【００３８】
次いで、予め表面側に液晶ディスプレイ６が装着された回路基板１４をマグネシウムフレーム１３に装着する。
【００３９】
次いで、図９に示すように、フレキシブル基板１９を折り返した状態で、回路基板１４のサブカメラ用コネクタ１８にフレキシブル基板１９の一端１９ａを挿入する。
【００４０】
次いで、図１０に示すように、クッション部材２０の延長部２０ｂをマグネシウムフレーム１３の上側端部に両面テープ２１により接着する。
【００４１】
次いで、回路基板１４にその他の電子部品などを装着して、マグネシウムフレーム１３を第１の筐体２に装着する。図１０には図示しないが、この状態で、クッション部材２０は、第１の筐体２の裏面に当接している。
【００４２】
−クッション部材の作用−
次いで、本実施形態のクッション材の作用について説明する。
【００４３】
サブカメラ１１のマグネシウムフレーム１３へのサブ組付後の運搬中や、第１の筐体２への組付作業中において、クッション部材２０がマグネシウムフレーム１３からフレキシブル基板１９に跨って設けられているので、サブカメラ１１がマグネシウムフレーム１３のサブカメラ装着用孔１６から外れることはない。
【００４４】
クッション部材２０は、スリット２２が形成されているため、延長部２０ｂの延びる方向に向かって引っ張ると、スリット２２部が広がって延長部２０ｂが延びたり、捩れたりするので、この引張力がクッション部材２０で吸収される。
【００４５】
すなわち、携帯電話機１を落下させたときに、剛性の高いマグネシウムフレーム１３と剛性の低い回路基板１４との間で変形度合いが異なるなどにより、クッション部材２０の延長部２０ｂに引張力が作用する。
【００４６】
しかし、クッション部材２０のスリット２２部周辺で、スリット２２の作用により、延長部２０ｂが延びたり、捩れたりすることでこの引張力が吸収されるので、フレキシブル基板１９がクッション部材２０に引っ張られることによりフレキシブル基板１９の一端１９ａが、サブカメラ用コネクタ１８から引き抜かれることはない。
【００４７】
したがって、本実施形態にかかる携帯電話機１によると、携帯電話機１のマグネシウムフレーム１３からフレキシブル基板１９に跨って貼り付けられたクッション部材２０に、マグネシウムフレーム１３からフレキシブル基板１９に向かって延びる方向と交わる方向に延びるスリット２２を形成したことにより、サブカメラ１１がマグネシウムフレーム１３のサブカメラ装着用孔１６から外れず、かつ、サブカメラ１１のフレキシブル基板１９の一端１９ａを回路基板１４のサブカメラ用コネクタ１８に接続しても、振動や落下の衝撃で、サブカメラ用コネクタ１８との接続が外れることはない。
【００４８】
（その他の実施形態）
本発明は、上記実施形態について、以下のような構成としてもよい。
【００４９】
すなわち、上記実施形態では、クッション部材２０の延長部２０ｂの延びる方向と略垂直に２本のスリット２２を形成したが、スリット２２を垂直よりも寝かせて設けてもよく、またスリット２２は、１本でも３本以上設けてもよい。
【００５０】
上記実施形態では、外れ防止手段は、高密度マイクロセルポリウレタンフォームで構成したが、他の発泡ウレタンで構成してもよい。しかし、高密度マイクロセルポリウレタンフォームは、高密度で、非常に細密、かつ均一なセル構造を有し、圧縮残留歪が小さい、エネルギー吸収性に優れる、シール性に優れる、寸法精度が安定している、他素材への影響が少ないなどの優れた特徴を有しているので、携帯電話機１などの小さなカメラ付電子機器に適している。
【００５１】
上記実施形態では、外れ防止手段は、クッション部材２０で構成したが、クッション機能のないテープなどでもよい。しかし、外れ防止手段を柔らかいクッションで構成することで、スリット２２周辺で広がったり、捩れたりしやすいので望ましい。また、保護機能も有するため、サブカメラ１１が保護される。さらに、両面テープ２１が貼り付けられれば、フレキシブル基板１９やマグネシウムフレーム１３に貼り付けやすい。
【００５２】
上記実施形態では、液晶ディスプレイ６の例を示したが、携帯電話機１は、有機ＥＬ表示ディスプレイを備えていてもよい。
【００５３】
上記実施形態では、カメラ付電子機器は、携帯電話機としたが、カメラ付のＰＨＳ、ＰＣ、モバイルツールなどでもよい。
【００５４】
なお、以上の実施形態は、本質的に好ましい例示であって、本発明、その適用物や用途の範囲を制限することを意図するものではない。
【産業上の利用可能性】
【００５５】
以上説明したように、本発明は、携帯電話機、ＰＨＳ、ＰＣ、モバイルツールなどのカメラ付電子機器について有用である。
【図面の簡単な説明】
【００５６】
【図１】本発明の実施形態にかかる携帯電話機の開いた状態を表面側から見た斜視図である。
【図２】携帯電話機の開いた状態を裏面側から見た斜視図である。
【図３】携帯電話機の閉じた状態を示す斜視図である。
【図４】第１の筐体内部の組品を裏面側から見た斜視図である。
【図５】図４の分解斜視図である。
【図６】マグネシウムフレームを示す拡大斜視図である。
【図７】クッション部材を示す拡大平面図である。
【図８】クッション部材を示す拡大側面図である。
【図９】フレキシブル基板をサブカメラ用コネクタに接続する様子を拡大して示す斜視図である。
【図１０】図４のＸ−Ｘ線拡大断面図である。
【符号の説明】
【００５７】
１      携帯電話機（カメラ付電子機器）
１１      サブカメラ（カメラ）
１３      マグネシウムフレーム（フレーム）
１４      回路基板
１６      サブカメラ装着用孔（カメラ装着用孔）
１８      サブカメラ用コネクタ
１９      フレキシブル基板
２０      クッション部材（外れ防止手段、接着剤付クッション）
２０ａ    本体部
２０ｂ    延長部
２１      両面テープ
２２      スリット
【図１】
2007215017.tif 000003
【図２】
2007215017.tif 000004
【図３】
2007215017.tif 000005
【図４】
2007215017.tif 000006
【図５】
2007215017.tif 000007
【図６】
2007215017.tif 000008
【図７】
2007215017.tif 000009
【図８】
2007215017.tif 000010
【図９】
2007215017.tif 000011
【図１０】
2007215017.tif 000012